(57)【要約】【課題】ディスクをディスク装置に挿入したり取り出したりする時に充分なクリアランスを確保した上で、装置の薄型化を図りつつ、スピンドルモータへのディスクの装着動作を確実に行うことができるスロットイン型ディスク装置を提供すること。【解決手段】ベース本体１０と蓋体２０とからシャーシ外装を構成し、シャーシ外装のフロント面にディスクを直接挿入するディスク挿入口１１を形成し、ベース本体１０にトラバースベース３０を設け、トラバースベース３０にスピンドルモータ３１とピックアップ３２とピックアップ３２を移動させる駆動手段３３とを設け、トラバースベース３０をベース本体１０側と蓋体２０側との間で変位させるトラバースベース移動手段を設け、トラバースベース移動手段を、シャーシ外装に設けたローディングモータ６０と、ローディングモータ６０の駆動によって摺動するスライダー４０，５０と、スライダー４０，５０の移動によって動作するトラバースカム部材とによって構成したディスク装置。【選択図】        図１
2006344340.tif 000002
【特許請求の範囲】
【請求項１】
ベース本体と蓋体とからシャーシ外装を構成し、前記シャーシ外装のフロント面にディスクを直接挿入するディスク挿入口を形成し、前記ベース本体にトラバースベースを設け、前記トラバースベースにスピンドルモータとピックアップと当該ピックアップを移動させる駆動手段とを設け、前記トラバースベースを前記ベース本体側と前記蓋体側との間で変位させるトラバースベース移動手段を設け、
前記トラバースベース移動手段を、前記シャーシ外装に設けたローディングモータと、前記ローディングモータの駆動によって摺動するスライダーと、前記スライダーの移動によって動作するトラバースカム部材とによって構成したディスク装置であって、
前記スピンドルモータを保持するスピンドルモータ支持部と、
前記スライダーの移動によって動作するスピンドルカム部材と、
前記スピンドルカム部材によって前記トラバースベースに対して近接離間するクラッチプレートと、
前記スピンドルモータ支持部と前記クラッチプレートとの間に配置されるモータスプリングとを有し、
前記クラッチプレートが前記トラバースベースに近接し、前記スピンドルモータが前記ディスク側に移動することで、前記モータスプリングが圧縮されることを特徴とするスロットイン型ディスク装置。
【請求項２】
前記モータスプリングを前記スピンドルモータの外周側に配置したことを特徴とする請求項１に記載のスロットイン型ディスク装置。
【請求項３】
前記クラッチプレートのストロークを、前記スピンドルモータのストロークよりも大きくしたことを特徴とする請求項１に記載のスロットイン型ディスク装置。
【請求項４】
前記スピンドルモータ支持部と前記クラッチプレートには貫通孔を有し、それぞれの前記貫通孔にはモータピンが挿入され、前記モータスプリングが前記モータピンを中心軸として配置されることを特徴とする請求項１に記載のスロットイン型ディスク装置。
【請求項５】
前記スピンドルカム部材を、直交する方向に配置した２つの部材で構成し、前記トラバースカム部材と前記スライダーとを直交する方向に配置し、一方の前記スピンドルカム部材を前記トラバースカム部材と平行に配置し、他方の前記スピンドルカム部材を前記スライダーと平行に配置したことを特徴とする請求項１に記載のスロットイン型ディスク装置。
【請求項６】
前記クラッチプレートを前記スピンドルモータの外周側に配置したことを特徴とする請求項１に記載のスロットイン型ディスク装置。
【請求項７】
前記トラバースベースには装着したディスクをリリースする凸部を有し、前記凸部を前記スピンドルモータの外周部に配置したことを特徴とする請求項１に記載のスロットイン型ディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できるスロットイン型ディスク装置に関する。
【背景技術】
【０００２】
従来のディスク装置は、トレイまたはターンテーブル上にディスクを載置し、このトレイやターンテーブルを装置本体内に装着するローディング方式が多く採用されているが、このようなローディング方式では、トレイやターンテーブルが必要な分、ディスク装置本体を薄型化するには限度があった。このため、最近では、ローディングモータによりレバー等でディスクを直接操作するスロットイン型ディスク装置が存在する（例えば特許文献１）。
しかしこのようなスロットイン型ディスク装置では、ディスクをこのディスク装置に挿入したり取り出したりする時に、トラバースベースに支持されたスピンドルモータを下降させて、挿入のための一定のクリアランスを設ける必要があるため、トラバースベースの昇降のための距離が装置の厚み方向に必要とされる。近年、パーソナルコンピュータの小型化に伴い、ディスク装置も小型化、薄型化が求められており、スロットイン方式のディスク装置で薄型化を図る場合、トラバースベースの昇降のための距離を必要最小限に押さえる必要がある。
このような技術的課題に対して本発明者らは、スピンドルモータをトラバースベースに対して、更に下方へ移動させることが可能な構成を既に提案している（特許文献２）。
【特許文献１】特開２００２−３５２４９８号公報
【特許文献２】特願２００４−２５７５６０号
【発明の開示】
【発明が解決しようとする課題】
【０００３】
しかし、特許文献２で提案した構成の場合、スプリングの付勢力がスピンドルモータの降下時に強く、スピンドルモータの上昇時には弱く作用する構成であるため、ディスク再生時に外乱振動や繰り返し精度が安定しないという課題がある。
【０００４】
そこで本発明は、スロットイン型ディスク装置で、ディスクをディスク装置に挿入したり取り出したりする時に充分なクリアランスを確保した上で、装置の薄型化を図りつつ、スピンドルモータへのディスクの装着動作を確実に行うことができるスロットイン型ディスク装置を提供することを目的とする。
更に本発明は、スプリングの付勢力をスピンドルモータが上昇位置にあるときに作用させる構成とすることで、ディスク再生時に外乱振動や繰り返し精度を安定させることを目的とする。
【課題を解決するための手段】
【０００５】
請求項１記載の本発明のスロットイン型ディスク装置は、ベース本体と蓋体とからシャーシ外装を構成し、前記シャーシ外装のフロント面にディスクを直接挿入するディスク挿入口を形成し、前記ベース本体にトラバースベースを設け、前記トラバースベースにスピンドルモータとピックアップと当該ピックアップを移動させる駆動手段とを設け、前記トラバースベースを前記ベース本体側と前記蓋体側との間で変位させるトラバースベース移動手段を設け、前記トラバースベース移動手段を、前記シャーシ外装に設けたローディングモータと、前記ローディングモータの駆動によって摺動するスライダーと、前記スライダーの移動によって動作するトラバースカム部材とによって構成したディスク装置であって、前記スピンドルモータを保持するスピンドルモータ支持部と、前記スライダーの移動によって動作するスピンドルカム部材と、前記スピンドルカム部材によって前記トラバースベースに対して近接離間するクラッチプレートと、前記スピンドルモータ支持部と前記クラッチプレートとの間に配置されるモータスプリングとを有し、前記クラッチプレートが前記トラバースベースに近接し、前記スピンドルモータが前記ディスク側に移動することで、前記モータスプリングが圧縮されることを特徴とする。
請求項２記載の本発明は、請求項１に記載のスロットイン型ディスク装置において、前記モータスプリングを前記スピンドルモータの外周側に配置したことを特徴とする。
請求項３記載の本発明は、請求項１に記載のスロットイン型ディスク装置において、前記クラッチプレートのストロークを、前記スピンドルモータのストロークよりも大きくしたことを特徴とする。
請求項４記載の本発明は、請求項１に記載のスロットイン型ディスク装置において、前記スピンドルモータ支持部と前記クラッチプレートには貫通孔を有し、それぞれの前記貫通孔にはモータピンが挿入され、前記モータスプリングが前記モータピンを中心軸として配置されることを特徴とする。
請求項５記載の本発明は、請求項１に記載のスロットイン型ディスク装置において、前記スピンドルカム部材を、直交する方向に配置した２つの部材で構成し、前記トラバースカム部材と前記スライダーとを直交する方向に配置し、一方の前記スピンドルカム部材を前記トラバースカム部材と平行に配置し、他方の前記スピンドルカム部材を前記スライダーと平行に配置したことを特徴とする。
請求項６記載の本発明は、請求項１に記載のスロットイン型ディスク装置において、前記クラッチプレートを前記スピンドルモータの外周側に配置したことを特徴とする。
請求項７記載の本発明は、請求項１に記載のスロットイン型ディスク装置において、前記トラバースベースには装着したディスクをリリースする凸部を有し、前記凸部を前記スピンドルモータの外周部に配置したことを特徴とする。
【発明の効果】
【０００６】
本発明によれば、ディスク装置の薄型化と小型化を図ることが出来るものであり、特に、スピンドルモータをトラバースベースに対して、下方へ移動させることが可能な構成としたので、トラバースベースの昇降距離を必要最小限に押さえても、ディスク挿入のためのクリアランスを確保することができ、更なるディスク装置の薄型化が可能となる。
また本発明によれば、スプリングの付勢力をスピンドルモータが上昇位置にあるときに作用させることで、ディスク再生時に外乱振動や繰り返し精度を安定させることができる。
【発明を実施するための最良の形態】
【０００７】
本発明の第１の実施の形態によるスロットイン型ディスク装置は、スピンドルモータを保持するスピンドルモータ支持部と、スライダーの移動によって動作するスピンドルカム部材と、スピンドルカム部材によってトラバースベースに対して近接離間するクラッチプレートと、スピンドルモータ支持部とクラッチプレートとの間に配置されるモータスプリングとを有し、クラッチプレートがトラバースベースに近接し、スピンドルモータがディスク側に移動することで、モータスプリングが圧縮されものである。本実施の形態によれば、スプリングの付勢力をスピンドルモータが上昇位置にあるときに作用させることで、ディスク再生時に外乱振動や繰り返し精度を安定させることができる。
本発明の第２の実施の形態は、第１の実施の形態によるスロットイン型ディスク装置において、モータスプリングをスピンドルモータの外周側に配置したものである。本実施の形態によれば、スピンドルモータをベース本体に近接配置できるため、ディスクをディスク装置に挿入したり取り出したりする時に充分なクリアランスを確保した上で、装置の薄型化を図ることができる。
本発明の第３の実施の形態は、第１の実施の形態によるスロットイン型ディスク装置において、クラッチプレートのストロークを、スピンドルモータのストロークよりも大きくしたものである。本実施の形態によれば、スピンドルモータの降下時は、モータスプリングの力はかからず、モータスプリングの力がかかるのは、スピンドルモータがストローク分だけ上昇した後の、クラッチプレートのオーバーストローク分だけとすることができる。また、モータスプリングの荷重を高く設定できるため、トラバースベースに対するスピンドルモータの付勢力を強くでき、自己振動や外乱振動に対する安定性を高めることができる。また、スピンドルモータをトラバースベースに高荷重で付勢できるため、繰り返し精度の安定性を図ることができる。
本発明の第４の実施の形態は、第１の実施の形態によるスロットイン型ディスク装置において、スピンドルモータ支持部とクラッチプレートには貫通孔を有し、それぞれの貫通孔にはモータピンが挿入され、モータスプリングがモータピンを中心軸として配置されるものである。本実施の形態によれば、スピンドルモータの安定した昇降動作を確保することができる。
本発明の第５の実施の形態は、第１の実施の形態によるスロットイン型ディスク装置において、スピンドルカム部材を、直交する方向に配置した２つの部材で構成し、トラバースカム部材とスライダーとを直交する方向に配置し、一方のスピンドルカム部材をトラバースカム部材と平行に配置し、他方のスピンドルカム部材をスライダーと平行に配置したものである。本実施の形態によれば、トラバースベースとスピンドルモータとの安定した昇降動作を確保することができる。
本発明の第６の実施の形態は、第１の実施の形態によるスロットイン型ディスク装置において、クラッチプレートをスピンドルモータの外周側に配置したものである。本実施の形態によれば、スピンドルモータをベース本体に近接配置できるため、ディスクをディスク装置に挿入したり取り出したりする時に充分なクリアランスを確保した上で、装置の薄型化を図ることができる。
本発明の第７の実施の形態は、第１の実施の形態によるスロットイン型ディスク装置において、トラバースベースには装着したディスクをリリースする凸部を有し、凸部をスピンドルモータの外周部に配置したものである。本実施の形態によれば、凸部をスピンドルモータの外周部に配置することで、ディスクのリリースを確実に行うことができる。
【実施例】
【０００８】
以下本発明の一実施例によるディスク装置について説明する。
図１は本実施例によるディスク装置のベース本体の平面図である。
本実施例によるディスク装置は、ベース本体と蓋体とからシャーシ外装が構成され、このシャーシ外装のフロント面にベゼルが装着される。また本実施例によるディスク装置は、ベゼルに設けたディスク挿入口からディスクを直接挿入するスロットイン型ディスク装置である。
図１に示すように、ディスクへの記録再生機能やディスクのローディング機能を行う各部品は、ベース本体１０に装着される。
ベース本体１０は、深底部１０Ａと浅底部１０Ｂが形成され、浅底部１０Ｂによってフロント面からリア面に至るウイング部が形成されている。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバースベース３０が配置され、ベース本体１０のコネクタ１２側にはリアベース１３が配置されている。トラバースベース３０とリアベース１３とは互いが重ならないように配置されている。リアベース１３のベース本体１０面側にはプリント基板１４が設けられている。
【０００９】
トラバースベース３０は、スピンドルモータ３１とピックアップ３２とピックアップ３２を移動させる駆動手段３３とを保持している。スピンドルモータ３１はトラバースベース３０の一端側に設けられ、ピックアップ３２はトラバースベース３０の一端側から他端側までを移動可能に設けられている。またピックアップ３２は停止時にはトラバースベース３０の他端側、すなわちベース本体１０の外周側に配置される。
トラバースベース３０において、スピンドルモータ３１がベース本体１０の中央部に位置し、またピックアップ３２の往復動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、４５度の角度としている。
トラバースベース３０は、一対のインシュレータ３４Ａ、３４Ｂによってベース本体１０に支持されている。
一対のインシュレータ３４Ａ、３４Ｂは、スピンドルモータ３１の位置よりもピックアップ３２の静止位置側に配設している。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。トラバースベース３０は、インシュレータ３４Ａ、３４Ｂを支点として、スピンドルモータ３１側をベース本体１０と近接離間させるように動作する。
【００１０】
以下に、このトラバースベース３０を動作させるトラバースカム部材５１を備えたメインスライダー４０とサブスライダー５０について説明する。
メインスライダー４０とサブスライダー５０とは、スピンドルモータ３１の側方に位置するように配設されている。メインスライダー４０は、その一端がシャーシ本体１０のフロント面側、その他端がシャーシ本体１０のリア面側となる方向に配設されている。また、サブスライダー５０は、トラバースベース３０とリアベース１３との間に、メインスライダー４０と直交する方向に配設されている。
トラバースベース３０を変位させるトラバースカム部材５１は、サブスライダー５０のスピンドルモータ３１側の面に設けられている。
【００１１】
メインスライダー４０の一端側にはローディングモータ６０が配設されている。ローディングモータ６０の駆動軸とメインスライダー４０の一端側とは歯車機構６１を介して連結されている。
このローディングモータ６０の駆動によってメインスライダー４０を長手方向に摺動させることができる。またメインスライダー４０は、カムレバー７０によってサブスライダー５０と連結している。
カムレバー７０は回動支点７１、ピン７２及びピン７３を有している。ピン７３はメインスライダー４０の上面に設けたカム溝と係合し、ピン７４でサブスライダー５０の上面に設けたカム溝と係合している。
このカムレバー７０は、メインスライダー４０の移動によって動作し、サブスライダー５０を移動させることによってトラバースカム部材５１を動作させてトラバースベース３０を変位させる。
【００１２】
以上説明した、コネクタ１２、トラバースベース３０、リアベース１３、プリント基板１４、インシュレータ３４Ａ、３４Ｂ、メインスライダー４０、サブスライダー５０、及びローディングモータ６０は、ベース本体１０の深底部１０Ａに設けられ、これらの部材と蓋体２０との間に、ディスク挿入空間を形成する。
【００１３】
次に、ディスクを挿入するときにディスクを支持するガイド部材と、ディスクを挿入するときに動作するレバー部材について説明する。
図２はディスクを保持した状態を示す本装置の平面図である。
深底部１０Ａのディスク挿入口１１近傍の一端側には、所定長さの第１のディスクガイド１７が設けられている。この第１のディスクガイド１７は、ディスク挿入側から見た断面が、「コ」の字状の溝を有している。この溝によってディスクは支持される。
一方、ディスク挿入口１１側の浅底部１０Ｂには、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。また、第２のディスクガイド８１のローラ外周には溝が形成され、この溝によってディスクは支持される。
引き込みレバー８０は、可動側端部が固定側端部よりもディスク挿入口１１側で動作するように配置され、固定側端部に回動支点８２を有している。
【００１４】
引き込みレバー８０は、サブレバー９０によって動作する。
サブレバー９０は、可動側の一端に凸部９１を備え、他端側に回動支点９２を備えている。サブレバー９０の凸部９１は、引き込みレバー８０の長溝内を摺動する。また、サブレバー９０の回動支点９２は、メインスライダー４０上に位置している。なお、回動支点９２は、メインスライダー４０とは連動せず、ベース本体１０に固定されている。またサブレバー９０の回動支点９２よりも凸部９１側の下面には、ピン９３を備えている。このピン９３は、メインスライダー４０の上面に設けられたカム溝内を摺動する。従って、サブレバー９０は、メインスライダー４０の移動にともなって角度が変更され、このサブレバー９０の角度の変更によって引き込みレバー８０の旋回角度を変更する。すなわち、サブレバー９０の動作によって、引き込みレバー８０の第２のディスクガイド８１がスピンドルモータ３１に近接離間するように動作する。
【００１５】
ベース本体１０の引き込みレバー８０と異なる側部には、排出レバー１００が設けられている。この排出レバー１００の一端側の可動側端部にはガイド１０１が設けられている。また、排出レバー１００の他端側には、回動支点１０２が設けられている。また、排出レバー１００の可動側端部には、ガイド１０１よりもリア面側に当接部１０３が設けられている。また、排出レバー１００には、弾性体１０４が設けられている。この弾性体１０４の一端は排出レバー１００に固定されており、他端はリアベース１３に固定されている。当接部１０３は、リア面側に引き込まれた場合に、リアベース１３の当接部１３Ａと当接する。また排出レバー１００は、弾性体１０４の弾性力によってディスク挿入口１１側に引き出される。なお、排出レバー１００は、リンクアーム１０５を介してメインスライダー４０と連動して動作する。
また、排出レバー１００と同じ側のベース本体１０の側部には、ガイドレバー１８０が設けられている。ガイドレバー１８０は、リア面側を回動支点１８１とし、可動側にガイド１８２を備えている。このガイドレバー１８０は、弾性体によってガイド１８２側がディスク側に突出するように付勢されている。また、このガイドレバー１８０は、リンクアーム１０５を介してメインスライダー４０と連動し、このメインスライダー４０の動きに応じて、ガイド１８２側がディスクから離間するように動作する。
【００１６】
ベース本体１０のリア面側には規制レバー１１０が設けられている。この規制レバー１１０は、リア面側端部を回動支点１１１とし、可動側端部にガイド１１２を備えている。この規制レバー１１０は、弾性体によってガイド１１２側が常にフロント側に突出するように付勢されている。また、この規制レバー１１０は所定位置でリミットスイッチを動作させる。すなわち、ディスクが所定位置まで挿入されると、リミットスイッチがオフし、ローディングモータ６０を駆動する。このローディングモータ６０の駆動によって、メインスライダー４０が摺動する。
凸部３０Ｄ１８は、スピンドルモータ３１の外周部に位置するトラバースベース３０に円弧状に設けており、装着されるディスクの中心部の非記録面に対応する位置に当接することでディスクをリリースさせる。
【００１７】
また、ベース本体１０のフロント側には、フロントガイダー２１が設けられている。フロントガイダー２１は、ディスク挿入口１１の一端側であって、引き込みレバー８０とディスク挿入口１１との間に配置されている。またこのフロントガイダー２１は、ローディングモータ６０や歯車機構、メインスライダー４０の一部を覆うように、これらの部材よりも蓋体２０側に設けられている。このフロントガイダー２１は、挿入されるディスクの記録面全面が接触しないように周囲にテーパーが設けられ、表面がウレタンフッ素コーティングされている。フロントガイダー２１は、第１のディスクガイド１７や第２のディスクガイド８１では十分にディスクを支持できない場合に、ディスクの面方向への傾きによって記録面に傷が付くのを防止することができる。なお、フロントガイダー２１をフェルト材で構成してもよい。
【００１８】
図３、図４は、本装置のトラバースベースを示す要部斜視図である。
駆動手段３３は、駆動モータ３３Ａと、ピックアップ３２を摺動させる一対のレール３３Ｂとを有し、一対のレール３３Ｂはトラバースベース３０の一端側と他端側とを連接するように両側部に配置されている。駆動モータ３３Ａは、ディスク挿入口１１側のレールの外方に、その駆動軸がレール３３Ｂと平行になるように配置されている。
【００１９】
図５から図８は、本装置のトラバースベースの構成部品を示す要部斜視図である。
まず、図５に示すように、クラッチプレート３５は、スピンドルモータ３１を配置する開口部３５Ａを有している。この開口部３５Ａの周囲には、３つの貫通孔３５Ｂを有し、それぞれの貫通孔３５Ｂの位置にモータスプリング３６が配置される。また、クラッチプレート３５は、複数のクラッチピン３５Ｃを有している。本実施例では、直交する２側面の一方の側面の端部に１つのクラッチピン３５Ｃを、他方の側面の両端部に２つのクラッチピン３５Ｃを有している。また、クラッチプレート３５は、段付ビス１８を挿入可能な開口部３５Ｄと、スピンドルモータ支持部３１Ａに引っかかる曲げ部３５Ｅを形成している。
【００２０】
次に、図６に示すように、開口部３５Ａの位置にスピンドルモータ３１が配置される。スピンドルモータ３１は、周囲にスピンドルモータ支持部３１Ａが形成されている。スピンドルモータ３１は、このスピンドルモータ支持部３１Ａによって保持されている。
スピンドルモータ支持部３１Ａは、クラッチプレート３５の貫通孔３５Ｂと対応する位置に３つの貫通孔３１Ｂを有している。モータスプリング３６は、スピンドルモータ支持部３１Ａとクラッチプレート３５との間に配置される。また、スピンドルモータ支持部３１Ａは、段付ビス１８を挿入可能な開口部３１Ｃと、曲げ部３５Ｅと係合する切欠部３１Ｄを形成している。
【００２１】
次に、図７に示すように、スピンドルモータ３１は、トラバースベース３０に配置される。トラバースベース３０は、複数のトラバースカムピン３０Ａを有している。本実施例では、直交する２側面の一方の側面に２つのトラバースカムピン３０Ａを有している。また、トラバースベース３０は、段付ビス１８を逃がす開口部３０Ｂを形成している。更に、トラバースベース３０は、クラッチプレート３５の貫通孔３５Ｂと対応する位置に３つのモータピンを備えている。
【００２２】
次に、図８に示すように、トラバースベース３０の直交する２側面の一方の側面には第１のスピンドルカム部材５２が、他方の側面には第２のスピンドルカム部材４１が配置される。従って第１のスピンドルカム部材５２はトラバースカム部材５１と平行に配置され、第２のスピンドルカム部材４１はメインスライダー４０と平行に配置される。
【００２３】
以下、本装置のスピンドルモータの昇降動作について説明する。
図９は降下した状態を示す要部斜視図、図１０は同状態の側面断面図、図１１は上昇した状態を示す要部斜視図、図１２は同状態の側面断面図である。
なお、図９及び図１１におけるスピンドルレバー４２は、カムレバー７０のピン７２が摺動する溝を有し、カムレバー７０の動作によって第２のスピンドルカム部材４１をメインスライダー４０と同一の方向に移動させる。また、図１０及び図１２に示すように、蓋体２０の中央部には、開口部２１が設けられている。この開口部２１は、ディスクＸの中心孔よりも大きな半径の円形開口であり、更にディスクＸの中心孔に嵌合するスピンドルモータ３１のハブよりも大きな開口である。開口部２１の外周部には、ベース本体１０側に突出させた絞り部２２が形成されている。
【００２４】
まず、図９及び図１０に示すように、第１のスピンドルカム部材５２及び第２のスピンドルカム部材４１によってクラッチピン３５Ｃはベース本体１０側に配置されるため、クラッチプレート３５は、ベース本体１０に最も近接した位置に規制される。
モータスプリング３６は、スピンドルモータ支持部３１Ａとクラッチプレート３５とを引き離す方向に付勢するが、スピンドルモータ支持部３１Ａとクラッチプレート３５とが所定間隔以上とならないように段付ビス１８などによって固定している。
この状態から、メインスライダー４０が移動することで、カムレバー７０が回動支点７１を中心として所定角度回動する。このカムレバー７０の回動によって、第１のスピンドルカム部材５２及び第２のスピンドルカム部材４１は、所定距離だけ移動する。
図１１及び図１２はこの状態を示している。
【００２５】
第１のスピンドルカム部材５２及び第２のスピンドルカム部材４１の移動によって、クラッチピン３５Ｃは蓋体２０に近接する方向に移動する。このクラッチピン３５Ｃの移動によって、クラッチプレート３５は蓋体２０側に移動し、モータスプリング３６を介してスピンドルモータ３１も蓋体２０側に移動する。
【００２６】
ここでは、クラッチプレート３５のストロークＢを、スピンドルモータ３１のストロークＡよりも大きく設定している。例えば、クラッチプレート３５のストロークＢを２．４ｍｍ、スピンドルモータ３１のストロークＡを２．０ｍｍとする。このように、クラッチプレート３５のストロークＢを、スピンドルモータ３１のストロークＡよりも大きく設定することで、モータスプリング３６の付勢力がかかるのは、スピンドルモータ３１がストローク分だけ上昇した後の、クラッチプレート３５のオーバーストローク分（０．４ｍｍ分）だけとすることができる。また、スピンドルモータ３１の降下時は、モータスプリング３６の付勢力はかからない。また、モータスプリング３６の荷重を高く設定できるため、トラバースベース３０に対するスピンドルモータ３１の付勢力を強くでき、自己振動や外乱振動に対する安定性を高めることができる。また、スピンドルモータ３１をトラバースベース３０に高荷重で付勢できるため、繰り返し精度の安定性を高めることができる。
なお、チャッキング動作時には、図１１及び図１２の状態から、トラバースカム部材５１によってトラバースカムピン３０Ａが蓋体２０側に移動することで、更にトラバース３０が蓋体２０側に近接する。
【産業上の利用可能性】
【００２７】
本発明は、ＣＤ、ＤＶＤ等のディスク状記録媒体の記録または再生を行うディスク装置において、ディスクを確実にスピンドルモータに装着させるためのトラバースベースの移動を最小限に制限しても、ディスクの確実な自動装着操作が可能となるスペースを確保することが可能となり、庭用映像機器やコンピュータの周辺装置として用いられる薄型化の必要なディスク装置に利用できる。 
【図面の簡単な説明】
【００２８】
【図１】本発明の一実施例によるディスク装置のベース本体の概略平面図
【図２】同ディスク装置のディスクを保持した状態を示す平面図
【図３】同ディスク装置のトラバースベースを示す要部斜視図
【図４】同ディスク装置のトラバースベースを示す要部斜視図
【図５】同ディスク装置のトラバースベースの構成部品を示す要部斜視図
【図６】同ディスク装置のトラバースベースの構成部品を示す要部斜視図
【図７】同ディスク装置のトラバースベースの構成部品を示す要部斜視図
【図８】同ディスク装置のトラバースベースの構成部品を示す要部斜視図
【図９】同ディスク装置のスピンドルモータの降下した状態を示す要部斜視図
【図１０】同状態の側面断面図
【図１１】同ディスク装置のスピンドルモータの上昇した状態を示す要部斜視図
【図１２】同状態の側面断面図
【符号の説明】
【００２９】
１０    ベース本体
１１    ディスク挿入口
１２    コネクタ
２０    蓋体
３０    トラバースベース
３１    スピンドルモータ
４０    メインスライダー
４１    第２のスピンドルカム部材
５０    サブスライダー
５１    トラバースカム部材
５２    第１のスピンドルカム部材
７０    カムレバー
８０    引き込みレバー
【図１】
2006344340.tif 000003
【図２】
2006344340.tif 000004
【図３】
2006344340.tif 000005
【図４】
2006344340.tif 000006
【図５】
2006344340.tif 000007
【図６】
2006344340.tif 000008
【図７】
2006344340.tif 000009
【図８】
2006344340.tif 000010
【図９】
2006344340.tif 000011
【図１０】
2006344340.tif 000012
【図１１】
2006344340.tif 000013
【図１２】
2006344340.tif 000014